(57)【特許請求の範囲】
【請求項１】
パネルに形成した開口を閉塞した状態でパッキンを介してフューエルリッドオープナーのケースが取付けられ、該ケースには前記開口の縁部に掛止し固定するための弾性変形可能な爪を設けたフューエルリッドオープナーの固定構造において、
前記爪の先端には前記開口の内周面に対応する位置まで突出する突出部分と、前記パッキンを押圧した状態にして前記パネルの開口縁の板面に掛止される掛止部分とを備え、
前記爪の掛止部分には前記パネルの開口縁部の板面に対し傾斜して当接する傾斜面を有し、
前記爪の復元力に基づき前記傾斜面が前記パネルの板面を押圧して前記パッキンを圧縮することを特徴とするフューエルリッドオープナーの固定構造。
【発明の詳細な説明】
【０００１】
【発明の属する技術分野】
本発明は、自動車等の車両に装備されるフューエルリッドオープナーの固定構造に関するものである。
【０００２】
【従来の技術】
図７はフューエルリッドオープナーの固定構造が適用される車両の箇所とその周辺を示す斜視図、図８は従来のフューエルリッドオープナーの固定構造の一例を示す図であって図７のＡ−Ａ線断面図である。従来のフューエルリッドオープナーの固定構造は、車両ボディ１のフューエルボックスパネル（以下これを「パネル」という。）２に形成した凹室３内の図８に示す開口４を閉塞した状態で、フューエルリッドオープナー５のケース６が取付けられ、該ケース６には単純な形状の爪７が設けられ、該爪７の先端を開口４の縁に掛止してケース６を固定して構成されていた。そして、凹室３は給油時に燃料がかかる恐れがある箇所であるため、車内にその臭い及び燃料自体が流れ込まないように、高いシール性が要求されるので、開口４の周囲でパネル２に当接させた環状のシールパッキン８が介在している。
【０００３】
フューエルリッドオープナー５は、ケース６に設けた支軸９をもって回動可能に取り付けられたリンク１０と、該リンク１０の先端にある係止部１０ａに係止されたケーブル１１等を備え、二点鎖線で示すロックプレート１３がストッパーピン１６に係合して閉じられた状態にある図示しない公知のフューエルリッドを開く対象としている。ストッパーピン１６は、パネル２の開口４を通って凹室３に対し出入り可能であり、支軸９に支持されている捩りばね１７により凹室３内に対して突出する方向へ付勢されている。
【０００４】
そして、先端が回動自在なリンク１０の係止部１０ａに係止されたケーブル１１を捩りばね１７の付勢力に抗して引っ張ると、ストッパーピン１６の頭部１６ａに掛けられているリンク１０の係合部１０ｂによって該ストッパーピン１６が凹室３内に対し引き込まれ、ストッパーピン１６に対するロックプレート１３の係合が解除されて上記フューエルリッドが開くようになっている。
【０００５】
【発明が解決しようとする課題】
しかし、上記従来の円形断面を有するパッキン８の径が小さいため、図９に示すような圧縮変形代αがほとんどとれないので、組付ける際に、パネル２とオーバラップさせることができない。そこで、図１０に示すように、隙間のないように干渉寸法βを設定すると、パネル２へのケース６の組付けが困難か又は不可能になり、図１１に示すように、隙間γを設けて組付けが容易になるようにすると、シール性に欠けるという問題点があった。
【０００６】
本発明は、上記課題に鑑みなされたものであって、組付性をよくし、パッキンによるシール性の向上を図り、しかもケースを強力に固定することができるフューエルリッドオープナーの固定構造を提供することを目的とする。
【０００７】
【課題を解決するための手段】
上記課題を解決するために、本発明は、パネルに形成した開口を閉塞した状態でパッキンを介してフューエルリッドオープナーのケースが取付けられ、該ケースには前記開口の縁部に掛止し固定するための弾性変形可能な爪を設けたフューエルリッドオープナーの固定構造において、前記爪の先端には前記開口の内周面に対応する位置まで突出する突出部分と、前記パッキンを押圧した状態にして前記パネルの開口縁の板面に掛止される掛止部分とを備え、前記爪の掛止部分には前記パネルの開口縁部の板面に対し傾斜して当接する傾斜面を有し、前記爪の復元力に基づき前記傾斜面が前記パネルの板面を押圧して前記パッキンを圧縮することを特徴とする。
【０００８】
【発明の実施の形態】
以下において、本発明の実施の形態について、図面を参照しながら詳細に説明する。図１は本発明の実施の形態に係るフューエルリッドオープナーの固定構造を示し図８に対応する断面図、図２は図１の部分拡大断面図である。このフューエルリッドオープナーの固定構造は、フューエルリッドオープナー５のケース２０に設けた下部爪２２の爪部２４の先端に突出部分２４ａと掛止部分２４ｂとがあり、突出部分２４ａが開口４の内周面に対応する位置まで突出し、断面が円形のパッキン８を圧縮した状態で開口４の縁の板面に掛止部分２４ｂが掛止され、下部爪２２の掛止部分２４ｂの傾斜面２４ｃが開口４の縁の板面に対し傾斜してパネル２に当接して構成されている。
【０００９】
そして、この構造では、パネル２に形成した開口４を閉塞した状態でパッキン８を介してケース２０を取り付けた時に、下部爪２２の爪部２４が弾性変形していて、図５において矢印Ｙで示す方向への復元力に基づき傾斜面２４ｃがパネル２の板面を押圧し円形断面のパッキン８をその径方向に圧縮するので、高いシール性を保持しつつケース２０が強固に固定される。
【００１０】
フューエルリッドオープナー５は、図８に示したものと同様に、支軸９に回動自在に支持されたリンク１０、及びリンク１０の係止部１０ａに連結されたケーブル１１等を備え、図示しないフューエルリッドに取り付けられているロックプレート１３がストッパーピン１６に係合して閉じられた状態にある該フューエルリッドを開く対象としており、これらについては従来と同じなので、重複説明を省略する。
【００１１】
図３は本発明の実施の形態に係るケースを示す正面図、図４はその底面図である。ケース２０は、開口４よりも大きい長方形の基板部２１、該基板部２１の前面側の下部に設けた下部爪２２、上部にあってケーブル保持用の座ぐり孔２６ａが開けられているケーブル係止部２６、該ケーブル係止部２６に突設した上部爪２７（図１参照）、下部爪２２の近傍の下部突起２８、ケーブル係止部２６に連なり下部爪２２との間の位置にあって四角形の座ぐり孔２９ａが開けられているピン保持部２９、及び軸受孔３０ａが開けられている軸支持部３０等を一体に有している。座ぐり孔２９ａは片側半分の部分にのみ座面２９ｂがある。
【００１２】
また、ケース２０は、基板部２１の左右両側に上下方向に沿って一様断面にて真直に連続する上下方向凸条３３，３３、基板部２１の下縁で左右方向に沿って一様断面にて真直に連続する左右方向凸条３４、及び一方の上下方向凸条３３に対し間隔を空けて突設した小突起３５を有し、ピン保持部２９とこれに対向する上下方向凸条３３との間、小突起３５とこれに対応する上下方向凸条３３の間、及び下部突起２８と左右方向凸条３４との間のそれぞれの間隔は、パッキン８を丁度通せるように寸法設定してある。
【００１３】
下部爪２２は、合成樹脂材料からなり、図１に示すように、基板部２１から離れるに従って下がる方向に傾斜している基部２３と、該基部２３に対し鋭角状に折り返して基板部２１に近づくに従って下がる方向に傾斜している爪部２４とを有し、図３及び図４に示すように、爪部２４が二股状をなしていて弾性変形自在である。爪部２４の先端には開口４の内周面に対応する位置まで突出する突出部分２４ａと、パッキン８を圧縮した状態で開口４の縁の板面に掛止される掛止部分２４ｂとがある。ケース２０をパネル２に取り付ける前の状態において、下部爪２２の爪部２４先端とケーブル係止部２６の根元部分との間の外寸法は、開口４の内寸法よりも若干大きくなるように寸法設定してある。
【００１４】
また、下部爪２２は、開口４の縁の板面に対し傾斜角θにて傾斜し当接する掛止部分２４ｂの傾斜面２４ｃを有し、突出部分２４ａと掛止部分２４ｂとの間に段差面２４ｄがあり、ケース２０をパネル２に取付け固定した時、基部２３に対して爪部２４がその先端を近づける方向へ弾性変形しており、図５において示す矢印Ｙの方向へ復元しようとする復元力に基づき、傾斜面２４ｃがパネル２を矢印Ｚで示す基板部２１の方向へ押圧している。上部爪２７は、基板部２１に近づくに従って下がる方向に傾斜した傾斜爪部２７ａを有している。この傾斜爪部２７ａの先端と基板部２１の板面との間隙がパッキン８の外径とパネル２の厚さとの和よりも若干小さくなるように、寸法設定されている。
【００１５】
そして、ケース２０は、ケーブル係止部２６の座ぐり孔２６ａにケーブル１１の端部が挿入され、ピン保持部２９の座ぐり孔２９ａにストッパーピンが通され、軸支持部３０の軸受孔３０ａにて支軸９を支持しており、基板部２１の長方形に相似の環状長方形の輪郭をなすパッキン８が、ケーブル係止部２６、下部突起２８、ピン保持部２９、及び軸支持部３０等を囲繞し基板部２１の板面に当接して装着される。
【００１６】
上記実施の形態に係るフューエルリッドオープナー５のケース２０は、次のようにして、パネル２に取付け固定される。先ず、ケーブル１１をケーブル係止部２６の座ぐり孔２６ａにて保持するとともに、該ケーブル１１の先端をリンク１０の先端に係止する。その後、ケース２０を傾けて開口４に、ケーブル係止部２６及び軸支持部３０を通し、下部爪２２を開口４に弾性変形させながら通し、下部爪２２の傾斜面２４ｃと上部爪２７の先端とでパネル２の開口４の縁部を押圧した状態にて、ケース２０はパネル２に掛止し固定される。
【００１７】
本発明の上記実施の形態によれば、下部爪２２の爪部２４の先端に突出部分２４ａと掛止部分２４ｂとを設け、下部爪２２が弾性を有し、爪部２４が基部２３に対し鋭角状に曲げ形成されており、図６に示すようなクリップ３７を用いてパネル２にケース６を固定するのと異なり、本発明では、爪部２４をフリーにすることにより、掛止部分２４ｂの傾斜面２４ｃをパネル２に当接させ、爪部２４が戻ろうとする反発力を利用するので、より強い力でフューエルリッドオープナー５のケース２０をパネル２に固定することができ、優れた組付け性及びシール性を得ることができ、上下方向のがたつきを確実に防止することができる。
【００１８】
なお、本発明は、上記実施の形態によって限定されず、種々の変形及び変更が可能である。例えば、穴を塞ぐ蓋状のものにも広く適用することができ、ケース２０の下部爪２２のみならず側部爪を設けることによって、ケース２０の幅方向のがたつきを防止することもできる。また、開口４が長方形以外の円形や楕円形その他の任意の形状の場合、その形状に合わせてケース２０の基板部２１を対応する形状にすることもできる。さらに、下部爪２２と上部爪２７との位置を互いに上下逆に変更してもよい。
【００１９】
【発明の効果】
以上説明したように、本発明によれば、パネルに形成した開口を閉塞した状態でパッキンを介してフューエルリッドオープナーのケースが取付けられ、該ケースには前記開口の縁部に掛止し固定するための弾性変形可能な爪を設けたフューエルリッドオープナーの固定構造において、前記爪の先端には前記開口の内周面に対応する位置まで突出する突出部分と、前記パッキンを押圧した状態にして前記パネルの開口縁の板面に掛止される掛止部分とを備え、前記爪の掛止部分には前記パネルの開口縁部の板面に対し傾斜して当接する傾斜面を有し、前記爪の復元力に基づき前記傾斜面が前記パネルの板面を押圧して前記パッキンを圧縮するので、次のような効果を奏する。
前記フューエルリッドオープナーの固定に際し、組付性、及びパッキンによるシール性の向上を図ることができ、しかもケースを強力に固定することができ、がたつきをなくすことができる。また、爪の掛止部分にはパネルの開口縁部の板面に対し傾斜して当接する傾斜面を有することにより、一層、組付性、及びパッキンによるシール性の向上を図ることができ、ケースをがたつきのない状態で強力に固定することができ、爪が弾性変形可能なことにより、さらに一層、組付性及びシール性を向上させ、がたつきを確実に防止することができる。
【図面の簡単な説明】
【図１】本発明の実施の形態に係るフューエルリッドオープナーの固定構造を示し、図８に対応する断面図である。
【図２】図１の部分拡大断面図である。
【図３】本発明の実施の形態に係るケースを示す正面図である。
【図４】図３の側面図である。
【図５】本発明の実施の形態に係るフューエルリッドオープナーの固定構造の作用の説明用断面図である。
【図６】クリップを用いた固定構造を示す断面図である。
【図７】フューエルリッドオープナーの固定構造が適用される箇所とその周辺を示す斜視図である。
【図８】従来のフューエルリッドオープナーの固定構造の一例を示す図であって図７のＡ−Ａ線断面図である。
【図９】図８の部分拡大図である
【図１０】図８の部分拡大図である。
【図１１】従来のフューエルリッドオープナーの固定構造の説明用断面図である。
【符号の説明】
２  パネル
３  凹室
４  開口
５  フューエルリッドオープナー
８  パッキン
９  支軸
１０  リンク
１１  ケーブル
１３  ロックプレート
１６  ストッパーピン
１７  捩りばね
２０  ケース
２１  基板部
２２  下部爪
２３  基部
２４  爪部
２４ａ  突出部分
２４ｂ  掛止部分
２４ｃ  傾斜面
２６  ケーブル係止部
２７  上部爪
【図１】
0003931260.tif 000002
【図２】
0003931260.tif 000003
【図３】
0003931260.tif 000004
【図４】
0003931260.tif 000005
【図５】
0003931260.tif 000006
【図６】
0003931260.tif 000007
【図７】
0003931260.tif 000008
【図８】
0003931260.tif 000009
【図９】
0003931260.tif 000010
【図１０】
0003931260.tif 000011
【図１１】
0003931260.tif 000012